(57)【要約】      （修正有）【課題】再生音の音質を改善する装置を提供する。【解決手段】調音マット１０２と、スピーカー１１０sを備えた電子機器１１０をこの調音マットに保持するための保持手段１０４とからなり、スピーカーから出力される音響を調整する調整手段を備えている。調音マット１０２は、ニードルフェルト等の吸音材料からなる。調音マット１０２は、吸音シートの間に樹脂シートを挟んで積層体とし、粘性接着剤で接合する。樹脂シートに設けられた開口部が調整手段となる。【選択図】図１
2015031844.tif 000002
【特許請求の範囲】
【請求項１】
調音マットと、
スピーカーを備えた電子機器を前記調音マットに保持するための保持手段とからなり、
前記調音マットは、前記電子機器を保持した状態において、前記スピーカーから出力される音響を調整する調音手段を備えていることを特徴とする音響調整装置。
【請求項２】
前記電子機器は、スマートフォン、携帯電話、タブレット型携帯端末、携帯型デジタル音楽プレイヤー、腕時計型端末、カメラ、小型ビデオ再生機、ラジオ、ICレコーダーまたはプロジェクターであることを特徴とする請求項１に記載の音響調整装置。
【請求項３】
前記調音マットは、ニードルフェルト、ベストレイ、ソフトレイ、グラスウール、サーモウール、フェノール樹脂、ポリウレタンの少なくとも１つを含む吸音材料からなることを特徴とする請求項２に記載の音響調整装置。
【請求項４】
前記吸音部材は複数枚の吸音シートを、積層体として一体的に接合することで形成されることを特徴とする請求項３に記載の音響調整装置。
【請求項５】
前記接着剤は接合後も固化することなく、使用時においてその粘性を保持した状態を維持する粘性接着剤であり、前記調音手段として機能することを特徴とする請求項４に記載の音響調整装置。
【請求項６】
前記積層体は、隣接する前記吸音層の間に樹脂シートを挟んで積層されていることを特徴とする請求項５に記載の音響調整装置。
【請求項７】
前記樹脂シートの厚みは０．１ｍｍ〜０．５ｍｍであることを特徴とする請求項６に記載の音響調整装置。
【請求項８】
前記樹脂シートには、複数個の開口部が設けられており、前記接着剤はこの開口部においては、前記吸音層を直接接合し、開口部以外では前記樹脂シートを介して前記吸音層を接合することを特徴とする請求項７に記載の音響調整装置。
【請求項９】
前記電子機器を前記調音マットに保持した状態で、前記調音マットと前記電子機器との間に一定の隙間を確保する手段を更に設けたことを特徴とする請求項８に記載の音響調整装置。
【請求項１０】
前記調音マットと前記電子機器との間に一定の隙間を確保する手段は、前記調音マットの表面に設けられた複数の吸盤であることを特徴とする請求項９に記載の音響調整装置。
【請求項１１】
前記調音マットは円筒状となっており、前記調音マットと前記電子機器との間に一定の隙間を確保する手段は、前記調音マットの表面から上方へ延びた多数のロッドからなり、このロッドは前記調音マットの中心で最も長く、周囲に向かって徐々に短くなっていることを特徴とする請求項１０に記載の音響調整装置。
【請求項１２】
前記調音マットと前記電子機器との間の隙間は、３ｍｍ乃至７ｍｍであることを特徴とする請求項１１に記載の音響調整装置。
【請求項１３】
前記吸音シートの積層体側面を保持するフレームを更に備えたことを特徴とする請求項１２に記載の音響調整装置。
【請求項１４】
前記フレームは、積層体側面のみを支持する形状であり、前記保持手段の設けられている表面と、その反対側の裏面は開放していることを特徴とする請求項１３に記載の音響調整装置。
【請求項１５】
前記保持手段は、前記調音マットに貼り付けられている袋状のポケットであることを特徴とする請求項１４に記載の音響調整装置。
【請求項１６】
前記保持手段は、面ファスナーを備えたベルトであることを特徴とする請求項１４に記載の音響調整装置。
【請求項１７】
前記保持手段は、前記電子機器よりも小さく、前記電子機器を収納可能な凹部が設けられたスポンジ状保持手段であって、前記調音マットの表面に設けられていることを特徴とする請求項１４に記載の音響調整装置。
【請求項１８】
スピーカーの後方に設置され、このスピーカーから再生される音響を調整する音響調整装置であって、
調音マットと、
前記調音マットを直立に保持するスタンドとからなり、
直立に保持された状態で、前記調音マットのサイズは、水平方向に見て、前記スピーカーよりも大きく、
前記調音マットは、吸音材料からなる吸音部材と、前記吸音部材に設けられた調音手段とからなっていることを特徴とする音響調整装置。
【発明の詳細な説明】
【技術分野】
【０００１】
本発明は、音楽や映画などの再生音の音質を改善する音響調整装置に関する。
【背景技術】
【０００２】
近年急速に普及しているスマートフォンは、その性能も日々向上し、一台で様々な需要を満たしている。スピーカーの性能も例外ではなく、スマートフォンから直接音楽を聴くことも多くなっている。実際、ヘッドホンの使用を想定せずに、ステレオのスピーカーを備えた機種も存在する。その場で、気軽に音楽を楽しむことが出来るようになってきている。
【０００３】
一方で、最も音響を重視するコンサートホールや劇場などでは、内部を良い音響空間とするために、壁に囲まれた空間全体の幾何学的な構造や、壁の音響的処置など、徹底した音響設計がなされる。また、一般の家庭でも、ホームシアターなど、音響空間を考慮した部屋を設計する場合もある。例えば、スピーカーを内蔵した壁面パネルなどが提案されている（特許文献１）。
【先行技術文献】
【特許文献】
【０００４】
【特許文献１】特開平０７−１２９１８２
【発明の概要】
【発明が解決しようとする課題】
【０００５】
しかしながら、スマートフォンなどの携帯機器の音質が良くなっているとは言っても、その筐体が小さいためにどうしても高音域が響きやすく、一般的なスピーカーの音質には届かない。
【０００６】
また、普通の家庭では、音響設計などは全く考慮されない部屋の、たまたま都合の良い場所にステレオやテレビなどが設置される。本格的に音楽を楽しもうとする場合には、手間と費用をかけて様々な工夫を凝らさなければならない。更に、ホームシアターといっても、部屋の大きさなどの制限から、コンサートホールのような大きな空間に比較すれば、やはり音質の改善の余地は残されている。
【０００７】
そこで、本発明の目的は、電子機器から再生される音を改善することのできる音響調整装置を提供することである。
【０００８】
本発明の他の目的は、電子機器で録音を行う際に、録音の記録音質を改善することのできる音響調整装置を提供することである。
【０００９】
本発明の更に他の目的は、電子機器で通話行う際に、音声に乗るノイズの影響を抑えることのできる音響調整装置を提供することである。
で録音を行う際に、録音の記録音質を改善することのできる音響調整装置を提供することである。
【００１０】
本発明の更に他の目的は、家庭内などで普通に利用されるステレオやテレビなどの音質を、手軽に安価に改善することのできる音響調整装置を提供することである。
【課題を解決するための手段】
【００１１】
上記課題の少なくとも１つを解決するために、本発明の音響調整装置は、調音マットと、スピーカーを備えた電子機器を前記調音マットに保持するための保持手段とからなり、前記調音マットは、前記電子機器を保持した状態において、前記スピーカーから出力される音響を調整する調音手段を備えていることを特徴とする。
【００１２】
好ましくは、前記電子機器は、スマートフォン、携帯電話、タブレット型携帯端末、携帯型デジタル音楽プレイヤー、腕時計型端末、カメラ、小型ビデオ再生機、ラジオ、ICレコーダーまたはプロジェクターである。
【００１３】
また、好ましくは、前記調音マットは、ニードルフェルト、ベストレイ、ソフトレイ、グラスウール、サーモウール、フェノール樹脂、ポリウレタンの少なくとも１つを含む吸音材料からなる。
【００１４】
更に、好ましくは、前記吸音部材は複数枚の吸音シートを、積層体として一体的に接合することで形成される。
【００１５】
更に、好ましくは、前記接着剤は接合後も固化することなく、使用時においてその粘性を保持した状態を維持する粘性接着剤であり、前記調音手段として機能する。
【００１６】
更に、好ましくは、前記積層体は、隣接する前記吸音層の間に樹脂シートを挟んで積層されている。
【００１７】
更に、好ましくは、前記樹脂シートの厚みは０．１ｍｍ〜０．５ｍｍであることを特徴とする。
【００１８】
更に、好ましくは、前記樹脂シートには、複数個の開口部が設けられており、前記接着剤はこの開口部においては、前記吸音層を直接接合し、開口部以外では前記樹脂シートを介して前記吸音層を接合することを特徴とする。
【００１９】
更に、好ましくは、前記電子機器を前記調音マットに保持した状態で、前記調音マットと前記電子機器との間に一定の隙間を確保する手段を更に設けたことを特徴とする。
【００２０】
更に、好ましくは、前記調音マットと前記電子機器との間に一定の隙間を確保する手段は、前記調音マットの表面に設けられた複数の吸盤であることを特徴とする。
【００２１】
更に、好ましくは、前記調音マットは円筒状となっており、前記調音マットと前記電子機器との間に一定の隙間を確保する手段は、前記調音マットの表面から上方へ延びた径の異なる多数の同心円状の円筒壁であることを特徴とする。
【００２２】
更に、好ましくは、前記調音マットと前記電子機器との間の隙間は、３ｍｍ乃至７ｍｍである。
【００２３】
更に、好ましくは、前記吸音シートの積層体側面を保持するフレームを更に備えている。
【００２４】
更に、好ましくは、前記フレームは、積層体側面のみを支持する形状であり、前記保持手段の設けられている表面と、その反対側の裏面は開放している。
【００２５】
更に、好ましくは、前記保持手段は、前記調音マットに貼り付けられている袋状のポケットである。
【００２６】
更に、好ましくは、前記保持手段は、面ファスナーを備えたベルトである。
【００２７】
更に、好ましくは、前記保持手段は、前記電子機器よりも小さく、前記電子機器を収納可能な凹部が設けられたスポンジ状保持手段であって、前記調音マットの表面に設けられている。
【００２８】
本発明の別の様相によれば、音響調整装置は、スピーカーの後方に設置され、このスピーカーから再生される音響を調整する音響調整装置であって、調音マットと、前記調音マットを直立に保持するスタンドとからなり、直立に保持された状態で、前記調音マットのサイズは、水平方向に見て、前記スピーカーよりも大きく、前記調音マットは、吸音材料からなる吸音部材と、前記吸音部材に設けられた調音手段とからなっていることを特徴とする。
【図面の簡単な説明】
【００２９】
【図１】図１は、本発明の実施例１による音響調整装置を示す斜視図である。
【図２】図２は、実施例１の音響調整装置に携帯端末を搭載した状態を示す斜視図である。
【図３】図３は、実施例１の音響調整装置の調音マットの構造を示す断面図である。
【図４】図４は、図３の調音マットに挿入されているビニールシートに設けられた開口部を示す平面図である。
【図５】図５は、実施例１の音響調整装置に携帯端末を搭載する為の保持手段の別の例を示す斜視図である。
【図６】図６は、実施例１の音響調整装置に携帯端末を搭載する為の保持手段の更に別の例を示す斜視図である。
【図７】図７は、図６の保持手段を示す断面図である。
【図８】図８は、図６の保持手段を示す平面図である。
【図９】図９は、図６の保持手段に携帯端末を搭載した状態を示す平面図である。
【図１０】図１０は、図６に示した音響調整装置に、携帯端末のコードを逃がす為の切欠きを設けた例を示す斜視図である。
【図１１】図１１は、本発明の実施例１による音響調整装置を支持するスタンド示す斜視図である。
【図１２】図１２は、本発明の実施例２による音響調整装置を示す断面図である。
【図１３】図１３は、実施例２の音響調整装置において、調音マットと携帯端末を離隔する為の凸部を示す平面図である。
【図１４】図１４は、実施例２の音響調整装置において、調音マットと携帯端末を離隔する為の凸部の別の例を示す平面図である。
【図１５】図１５は、実施例２の音響調整装置において、調音マットと携帯端末を離隔する為の凸部の更に別の例を示す断面図である。
【図１６】図１６は、実施例２の音響調整装置において、調音マットと携帯端末を離隔する為の凸部の変形例を示す断面図である。
【図１７】図１７は、実施例１の音響調整装置に携帯端末を搭載する為の保持手段の更に別の例を示す斜視図である。
【図１８】図１８は、実施例１の音響調整装置に携帯端末を搭載する為の保持手段の更に別の例を示す斜視図である。
【図１９】図１９は、図１８の音響調整装置の保持手段である小型の吸盤を示す斜視図である。
【図２０】図２０は、図１８の音響調整装置の平面図である。
【図２１】図２１は、調音マットと携帯端末を離隔する為の別の手段を備えた音響調整装置を示す平面図である。
【図２２】図２２は、図２１に示した音響調整装置の調音マットと携帯端末を離隔する為の手段を示す斜視図である。
【図２３】図２３は、図２１に示した音響調整装置を示す断面図である。
【図２４】図２４は、本発明の実施例３による音響調整装置を示す斜視図である。
【図２５】図２５は、本発明の実施例３による音響調整装置の使用状態を示す斜視図である。
【図２６】図２６は、本発明の実施例３による音響調整装置の別の例の使用状態を示す斜視図である。
【図２７】図２７は、本発明の実施例４による音響調整装置の使用状態を示す斜視図である。
【図２８】図２８は、本発明の実施例４による音響調整装置の別の例の使用状態を示す斜視図である。
【図２９】図２９は、本発明の実施例４による音響調整装置の変形例を示す斜視図である。
【発明を実施するための形態】
【００３０】
以下、図面を参照しつつ本発明の実施形態による音響調整装置について説明する。この音響調整装置は、スピーカーで再生される音響を調整して改善するものである。この音響の調整（以下、調音と呼ぶ）に多くの特徴を有する。
【００３１】
調音の例としては、例えば、高周波成分が強調されやすい小さなスピーカーでは、高周波成分を吸収し、より柔らかで自然な音響に変化させるといったものである。また、高周波成分の反射を抑えて、音の透明度を高めるといっても良い。更に、スマートフォン、テレビなどの対象となるスピーカーを備えた装置とこの音響調整装置との組み合わせた構成において、音響の伝達特性のより望ましい状態を実現（体感的な音響の改善）すること等を、ここでは調音と称する。
【実施例１】
【００３２】
図１は、実施例１による音響調整装置を示す斜視図である。この音響調整装置１００は、図２に示したように、スマートフォンや携帯電話といった携帯端末または通信機能を持たない携帯型デジタル音楽プレイヤーなどの携帯機器１１０を載せて使用するものであり、調音マット１０２と、携帯機器１１０を挿入するポケット１０４とからなる。すなわち、ポケット１０４は、携帯機器１１０を音響調整装置に保持する保持手段となっている。 
【００３３】
また、側面にはフレーム１０２ｆが設けられている。このフレーム１０２ｆは、側面のみを覆って比較的柔らかい調音マット１０２を保護するものである。そして、調音マット１０２の表面と裏面は共に露出しており、完全に開放している。このことは無駄な反射音を生じさせないという意味で重要である。また、ポケット１０４は、携帯機器１１０のスピーカー１１０ｓは露出するような大きさとなっている。更に、ポケット１０４には、携帯機器１１０の録音マイク１１０ｍを露出するような窓１０４ｗが設けられている。
【００３４】
調音マット１０２は、直方体の調音材で構成され、スマートフォンや携帯電話といった小型機器から再生される音響に付随しがちな高音域、具体的には帯域５００HZ以上の音圧を大幅に低減させることの出来る調音素材（吸音素材でもある）を用いて作成されている。そして、音楽などを視聴する上で重要な成分については自然な状態で維持されるように、その音響特性が調整（調音）されている。この吸音材料の具体的な材料と、調音方法について以下に説明する。
【００３５】
図３は、調音マット１０２の構造を示す断面図である。ここで、調音マット１０２は、ニードルフェルト、ベストレイ、ソフトレイ、グラスウール、サーモウール、フェノール樹脂、ポリウレタンといった材質の吸音シート１０５ａを２枚積層させ、間に音波拡散シートとして機能するビニールシート１０５ｂを挟んで接着させたものである。吸音シート１０５ａの他の材質としては、繊維状ミネラルウール、グラスファイバーなどがある。
【００３６】
一枚の吸音シート１０５ａの厚みは１〜２ｃｍであり、ビニールシート１０５ｂの厚みは０．１ｍｍ〜０．５ｍｍ程度である。更に、保護および支持用の軟質塩化ビニル樹脂板１０５ｃを裏面に設ける。また、内側の面は布１０５ｄが貼ってある。全体として、２〜４ｃｍ程度の厚みとなる。
【００３７】
縦と横のサイズに関しては、一般には大きい程その効果が向上する。ここでは、スマートフォン用として、横方向のサイズを１２ｃｍから１５ｃｍ、縦方向のサイズを１８ｃｍから２５ｃｍ程度とする。タブレット型携帯端末用であれば、横方向のサイズを１５ｃｍから２０ｃｍ、縦方向のサイズを２５ｃｍから３０ｃｍ程度とする。
【００３８】
ビニールシート１０５ｂは、図４の平面図に示したように、多数の円形開口部１０５ｈが設けられている。例えば、開口部１０５ｈの直径は２ｃｍで、互いの間隔は７ｃｍである。このような開口部１０５ｈを設けることで、入力する音波を横方向に散乱させ、吸音シート１０５ａによる吸音効果を高めることが出来る。また、開口部１０５ｈは、入力する音波の一部を通過させることにより、反射と透過のバランスを取り再生音の響きを調整するという調音機能も持っている。
【００３９】
また、ビニールシート１０５ｂと吸音シート１０５ａとは粘性接着剤によって接着されている。この粘性接着剤は、ビニールシート１０５ｂと吸音シート１０５ａとの間に、一定の粘性を保って介在する。また、この粘性接着剤は、開口部１１５ｈを介して、吸音シート１１５ａ間にも、一定の粘性を保って介在する。すなわち、使用時においても完全に硬化せず、ネバネバした状態を保っているという点が重要である。
【００４０】
このように吸音シート１０５ａの境界で接着剤が粘着状態を維持している為、高周波領域において、音の反射が抑制され、積層体全体として音の吸収と反射を適宜組合わせて適切な特性が得られ、調音効果を高めることができる。このような構造は、国際出願（出願番号：ＰＣＴ／ＪＰ２０１１／５８９４４）にも記載されている。
【００４１】
携帯機器１１０で音楽などを再生すると、筐体が小さい為に、高音域の反響が強調される傾向がある。しかし、図２に示したように、音響調整装置１００のポケット１０４に挿入することで高音域成分が吸収されると共に、その反響が抑えられるので、より自然で聴きやすい再生音が得られる。
【００４２】
事実、この音響調整装置を用いた場合、用いない場合と比べて、スマートフォンの音であっても、楽器の音が聞き分けることができた。また、映画の視聴を行なっても、小さな音でも人の声がハッキリと聞き取ることができた。
【００４３】
更に、発明者の実験によれば、携帯機器１１０を音響調整装置１００のポケット１０４に挿入した状態で録音を行った場合、その録音状態が改善することが確認された。すなわち、所望の音声と共に録音されてしまうノイズ成分または当該音声スペクトルの歪成分が減少し、その記録音質が良くなるという効果もある。これにより例えば音声認識を利用した場合でも、認識エラーを低減することができ、その有用性を向上させることができた。
【００４４】
このように録音状態が改善するということは、通話の際の環境も改善するということを意味する。すなわち、発話音声と共にマイクへ入力されてしまうノイズ成分または当該音声スペクトルの歪成分が減少し、相手側で聞こえる音声の質が向上する。更に、発話側の音声は相手側へ伝わるだけではなく、発話側でも再生される。従って、相手側からの音声（再生音）に乗る発話側音声のノイズレベルも抑制され、それに伴い自分の声の調整がしやすくなる。これにより、更なる通話環境の改善が期待される。
【００４５】
なお、ポケット１０４は透明なビニールシートで作成されており、携帯機器１１０の画面が見えるようになっている。しかし、質感のある布製としてもよい。また、図５に示したように、上部と下部のみで固定するようにしてもよい。この場合、上部は面ファスナーを備えたベルト１０６とすると、携帯機器１１０の形状の違いを吸収できる。
【００４６】
更に、図６の斜視図や図７の断面図に示したように、調音マット１０２と同じ形状のスポンジ層１１２を、調音マット１０２に重ねるように貼り付け、柔らかなスポンジ層１１２の凹部１０８に携帯機器１１０を嵌めこむようにしてもよい。凹部１０８の深さは、概ね嵌めこむ携帯機器１１０の厚みと同程度で良い。
【００４７】
この場合、スポンジ層１１２の凹部１０８は、図８や図９に示したように、四隅に切り込み１０８ｃを入れて携帯機器１１０の嵌めこみを容易にする構造となっている。この切り込み１０８ｃによって、携帯機器１１０の大きさの違いを吸収することができ、より多くの機種に対応可能となっている。また、図１０に示したように、携帯機器１１０のコード１１０ｐを逃がす為の切欠き１０８ｐを設けても良い。
【００４８】
なお、図６では省略しているが、この場合も、図１のフレーム１０２ｆと同様のフレーム１０８ｆが設けられている。図７の断面図に示したように、フレーム１０８ｆは、調音マット１０２とスポンジ層１１２からなる直方体の側面を覆っている。図１０に示したような切欠き１０８ｐを設ける場合は、フレーム１０８ｆの側にも、この切欠き１０８ｐに対応する位置に切欠きを設けて、携帯機器１１０のコード１１０ｐを逃がすようにする。
【００４９】
携帯機器１１０を載せた音響調整装置１００は、そのまま横にしても良いし、壁などに立て掛けるようにして利用しても良い。また、図１１に示したように、スタンド１２０に置いても良い。なお、この音響調整装置は、音楽の視聴以外でも、語学の勉強、受験の授業視聴、ゲームなど幅広い活用ができる。
【実施例２】
【００５０】
この実施例は、実施例１による音響調整装置と比較して、携帯機器の保持手段の構成のみが異なる。以下、実施例１と相違する構成を中心に説明する。
【００５１】
本発明者の実験によれば、調音マット１０２に携帯機器１１０が接している場合よりも、若干離れている場合の方が、体感的に音の輪郭が明瞭になることが分かった。そこで、実施例２では、調音マット１０２と携帯機器１１０の間に、隙間が生じるような構造となっている。
【００５２】
図１２に、この実施例による音響調整装置の断面図を示す。ここでポケット１０４の内側に対向する調音マット１０２の表面には、多数の凸部１０４ｒが設けられている。この凸部１０４ｒにより、携帯機器１１０をポケット１０４に挿入した場合、調音マット１０２と携帯機器１１０の間に、隙間が形成される。
【００５３】
この凸部１０４ｒは、例えばポケット１０４のビニールシートと同じ材質で形成され、図１３の平面図に示したように、携帯機器１１０を支持するように互いに離隔して設けられている。また、図１４の平面図に示したように、上下（図では左右）２本の長方形の凸部１０４ｒ'としても良い。更に、図１５の断面図に示したように、断面波型のスポンジ層１０４ｐをポケット１０４の内側に対向する調音マット１０２の表面に貼り付けても良い。いずれも、形成すべき隙間の大きさに対応して、その高さ（厚み）は３ｍｍ乃至７ｍｍ、例えば５ｍｍとする。
【００５４】
また、図１６に示したように、ポケット１０４の内の凸部の高さ（厚み）を上下（図では左右）で変えることで、通常は上（図では右）側に位置する携帯機器１１０のスピーカーを調音マット１０２から離隔するようにしても良い。この図では、図１４の長方形の凸部を、より厚い凸部１０４ｂとより薄い凸部１０４ｓとしているが、他の形態でも同様にできる。例えば、図２４では、図６のスポンジ層１１２の凹部１０８の底部を斜めにして、断面波型としている。
【００５５】
このような構成により、調音マット１０２と携帯機器１１０の間に空気の隙間が介在することになる。この空気の隙間は、音波の反射や干渉に影響し、結果的に音響の調整機能を果たすこととなり、体感的に音質の改善に至ると考えられる。
【００５６】
ポケット１０４の内の凸部の高さ（厚み）を上下（図では左右）で変えることで、通常は上（図では右）側に位置する携帯機器１１０のスピーカーを調音マット１０２から離隔するようにしても良い。この図では、図１４の長方形の凸部を、より厚い凸部１０４ｂとより薄い凸部１０４ｓとしているが、他の形態でも同様にできる。例えば、図２４では、図６のスポンジ層１１２の凹部１０８の底部を斜めにして、断面波型としている。
【００５７】
更に、図１８に示したように、上記実施例と同様の調音マット１０２を用い、その表面に直径１ｃｍ〜２ｃｍ程度の小型の吸盤１２１を複数設けることもできる。この吸盤１２１に、携帯機器１１０の裏面を貼り付けるようにすれば、任意の場所、任意の姿勢での利用が容易になる。この吸盤１２１としては、図１９に示したような一般的なポリ塩化ビニル製の吸盤パーツを用いることができる。すなわち、このような吸盤パーツ１２１を保持手段とすることで、図２０に示したように、携帯機器１１０を調音マット１０２から３ｍｍ乃至７ｍｍ、例えば５ｍｍ程度離して固定的に支持できる。
【００５８】
更に、上記実施例で用いたような直方体の調音マット１０２に代えて、図２１に示したような円形（円筒状）の調音マット１３２を用いて、音響調整装置１３０を構成することもできる。ここで、円筒状調音マット１３２の上面には、等間隔で多数のロッド１３４が植設されている。このロッド１３４は、ポリ塩化ビニル製であり、図２２に示したように直径５ｍｍの細長い円筒形をしている。そして、その外側には更にＡＢＳ樹脂製の円筒外壁１３６が設けられている。
【００５９】
ロッド１３４の高さは、中心で２ｃｍであり、図２３の断面図に示したように周囲に向かって低くなっている。円筒外壁１３６に最も近いロッド１３４では、高さ５ｍｍとなっている。
【００６０】
その更に外側の円筒外壁１３６は半径１０ｃｍ、高さ３ｃｍとなっており、図２３に示したように、円筒状調音マット１３２と整合する外周を持っている。この音響調整装置１３０に携帯機器１１０を載置すると、図示の通り円筒外壁１３６によって、携帯機器１１０のズレ落ちが防止される。
【実施例３】
【００６１】
図２４は、実施例３による音響調整装置を示す斜視図である。この音響調整装置２００は、調音パネル２０２と、この調音ユニットを直立に支持する支持部材であるスタンド２０４とからなる。この調音パネル２０２は、調音素材を主体に構成され、そのサイズを除いて実施例１の調音マット１０２と同じものである。
【００６２】
この音響調整装置２００は、吸音性能が優れているため、調音パネルの向こう側に空間が広がっているような効果をもたらす。従って、スピーカーの後ろ側に置くことにより、小さな部屋であっても奥行きのある音響を楽しむことが出来る。
【００６３】
例えば、図２５に示したようにステレオシステムのスピーカー２１０の後ろ側に置いて使用したり、図２６に示したように、テレビ２６０の後ろ側に置いて使用したりする。ステレオスピーカー用の場合、調音パネル２０２Ｓの大きさは、高さと幅の両方についてスピーカー２１０の大きさの１．５倍から２倍程度であれば良い。
【００６４】
また、テレビ用の場合、調音パネル２０２Ｔの大きさは、高さと幅の両方について左右のスピーカー２６０Ｌ、２６０Ｒの左端から右端までの距離の１．５倍から２倍程度であれば良い。また、テレビ用の場合、調音パネル２０２はテレビ２６０の大きさの１．５倍から２倍程度の大きさとする。例えば、４０インチのテレビであれば、６０インチから８０インチ程度の大きさとする。
【実施例４】
【００６５】
図２７は、実施例３による音響調整装置を示す斜視図である。この音響調整装置３００は、スピーカー２１０の背面側だけではなく、側面をも覆うような構造となっている。すなわちこの音響調整装置３００の調音パネル３０２は、後方パネル３０２Ｂ、左パネル３０２Ｌ、右パネル３０２Ｒからなり、実施例２の調音パネル２０２と同様の調音材で形成される。
【００６６】
後方パネル３０２Ｂの大きさは、実施例１の調音パネル２０２よりはやや小さめで、高さと幅の両方についてスピーカー２１０の大きさの１．３倍から１．２倍程度の大きさとする。これは、左パネル３０２Ｌおよび右パネル３０２Ｒが、横方向の音響の調音を行うためである。左パネル３０２Ｌおよび右パネル３０２Ｒの大きさ（音響調整装置３００の奥行き）は、スピーカー２１０の奥行きと同程度で良い。
【００６７】
図２８に示したように、この実施例３による音響調整装置を更に大きくして、テレビ２６０の背面および側面を覆うことができるようにして、テレビからの音響を改善することも出来る。更に、図２９に示したように、上側と下側にもパネル３０２Ｕ、３０２Ｄを設けて箱型にしても良い。
【産業上の利用可能性】
【００６８】
本発明による音響調整装置を利用すれば、スマートフォンなどのスピーカーを備えた携帯機器１１０の音質を向上させることができ、ヘッドホンなどを用いなくとも、音楽などをより良く楽しむことができる。
【００６９】
また、上記の携帯機器に限らず、腕時計型端末、カメラや小型ビデオ再生機、ラジオ、携帯型デジタル音楽プレイヤー、ICレコーダー、プロジェクターなどの小型スピーカーが内蔵されているデバイス全般にも適用可能で、本発明による音響調整装置を利用することにより、音質の改善が可能である。
【００７０】
更に、本発明による音響調整装置を利用すれば、スマートフォンなどの録音マイクを備えた携帯機器１１０で録音を行う際に、その録音の記録音質を改善することができる。これにより音声認識を利用した場合でも、認識エラーを低減することができ、その有用性を向上させることができる。
【００７１】
また、本発明による音響調整装置を利用すれば、特別な工夫をしなくても、家庭内でテレビやステレオなどをより良い音で楽しむことができる。
【符号の説明】
【００７２】
１００  音響調整装置
１０２  調音マット
１０２ｆ  フレーム
１０４  ポケット
１０４ｂ  凸部
１０４ｐ  スポンジ層
１０４ｒ  凸部
１０４ｓ  凸部
１０４ｗ  窓
１０５ａ  吸音シート
１０５ｂ  ビニールシート
１０５ｃ  軟質塩化ビニル樹脂板
１０５ｄ  布
１０５ｈ  円形開口部
１０６  ベルト
１０８  凹部
１０８ｃ  切り込み
１０８ｆ  フレーム
１０８ｐ  切欠き
１１０  携帯機器
１１０ｓ  スピーカー
１１０ｍ  録音マイク
１１２  スポンジ層
１２０  スタンド
１２１  吸盤
１３０  音響調整装置
１３２  円筒状調音マット
１３２  調音マット
１３４  円筒壁
１３６  円筒外壁
２００  音響調整装置
２０２  調音パネル
２０２Ｓ  調音パネル
２０２Ｔ  調音パネル
２０４  スタンド
２１０  スピーカー
２６０  テレビ
３００  音響調整装置
３０２  調音パネル
３０２Ｂ  後方パネル
３０２Ｌ  左パネル
３０２Ｒ  右パネル
【図１】
2015031844.tif 000003
【図２】
2015031844.tif 000004
【図３】
2015031844.tif 000005
【図４】
2015031844.tif 000006
【図５】
2015031844.tif 000007
【図６】
2015031844.tif 000008
【図７】
2015031844.tif 000009
【図８】
2015031844.tif 000010
【図９】
2015031844.tif 000011
【図１０】
2015031844.tif 000012
【図１１】
2015031844.tif 000013
【図１２】
2015031844.tif 000014
【図１３】
2015031844.tif 000015
【図１４】
2015031844.tif 000016
【図１５】
2015031844.tif 000017
【図１６】
2015031844.tif 000018
【図１７】
2015031844.tif 000019
【図１８】
2015031844.tif 000020
【図１９】
2015031844.tif 000021
【図２０】
2015031844.tif 000022
【図２１】
2015031844.tif 000023
【図２２】
2015031844.tif 000024
【図２３】
2015031844.tif 000025
【図２４】
2015031844.tif 000026
【図２５】
2015031844.tif 000027
【図２６】
2015031844.tif 000028
【図２７】
2015031844.tif 000029
【図２８】
2015031844.tif 000030
【図２９】
2015031844.tif 000031